(57)【要約】【課題】釣りの内容に応じて適宜長さを調整することができる魚掴み器を提供する。【解決手段】２枚のプレートをスペーサを介して対向したグリップと、前記２枚のプレート間に格納可能に前記グリップと一端部同士を回動可能に連結したツールバーと、このツールバーを前記グリップに格納した二つ折り状態と一線状に開いた開き状態それぞれで両者の回動を規制可能なロック機構と、前記ツールバーの開放端に突出して設けた常閉のわに口と、このわに口と前記ツールバー内部で連動させて前記わに口を開動操作可能なアクチュエータとを備え、このアクチュエータは前記二つ折り状態と開き状態それぞれに対応する二つの指掛け部を前記ツールバーの長手方向の側縁それぞれから反対向きに突出してなる。【選択図】図１
2010004816.tif 000002
【特許請求の範囲】
【請求項１】
２枚のプレートをスペーサを介して対向したグリップと、前記２枚のプレート間に格納可能に前記グリップと一端部同士を回動可能に連結したツールバーと、このツールバーを前記グリップに格納した二つ折り状態と一線状に開いた開き状態それぞれで両者の回動を規制可能なロック機構と、前記ツールバーの開放端に突出して設けた常閉のわに口と、このわに口と前記ツールバー内部で連動させて前記わに口を開動操作可能なアクチュエータとを備え、このアクチュエータは前記二つ折り状態と開き状態それぞれに対応する二つの指掛け部を前記ツールバーの長手方向の側縁それぞれから反対向きに突出してなることを特徴とした魚掴み器。
【請求項２】
アクチュエータは、指掛け部をツールバー長手方向に沿ってスライド可能に付勢してなり、わに口とは前記アクチュエータのスライド運動をわに口の開閉運動に変換可能なリンクによって連結してなる請求項１記載の魚掴み器。
【請求項３】
わに口は、ツールバーの開放端に固定した固定爪と、前記開放端に回動可能に軸支した可動爪とからなり、この可動爪をアクチュエータと連動させてなる請求項１または２記載の魚掴み器。
【請求項４】
固定爪または可動爪の少なくとも何れか一方は、先端外周にさらに先鋭テーパ状のへら部を突設してなる請求項３記載の魚掴み器。
【請求項５】
ロック機構は、グリップの一方のプレート表面に回転可能に設けたツマミと、このツマミから前記一方のプレートを貫通してツールバー側に突設したロックピンと、ツールバーの一端縁に開き状態と二つ折り状態に対応する２箇所に形成した前記ロックピンの係合切欠とからなる請求項１から４のうち何れか一項記載の魚掴み器。
【請求項６】
ロック機構は、グリップに対してツールバーが傾斜するように開き状態を保持する請求項１〜５のうち何れか一項記載の魚掴み器。
【発明の詳細な説明】
【技術分野】
【０００１】
この発明は、かかった魚を水面から取り込む際、魚の口を掴み上げる魚掴み器に関するものである。
【背景技術】
【０００２】
本発明に関連する先行技術として、特許文献１〜５には、持ち手の一端に引き金の操作によって開閉するわに口を備えた魚掴み器が開示されている。この魚掴み器は、魚の口（下顎）をわに口で掴み、この状態で魚を宙ぶらりんに吊り下げることができるもので、釣りの際、手元まで引き寄せた魚を最終的に水面から取り込む、いわゆるランディングに使用される。また、魚を取り込んだ後は、魚を吊り下げたまま針を外すこともできる。この間、釣り人は魚に直接手を触れることがないため、歯やひれが鋭い魚、毒を持った魚であっても安全に取込みおよび針外しを行うことができる。また、手づかみやタモ網を使った取込みよりも魚体へのダメージが小さいため、釣り上げた魚を健康な状態で逃がすことができ、キャッチアンドリリースを行うゲームフィッシングやスポーツフィッシングでの使用に好適である。
【０００３】
【特許文献１】特開２００２−４５０９８号公報
【特許文献２】意匠登録第１３１２８４８号公報
【特許文献３】特開２００６−２０４１１８号公報
【特許文献４】特開２００６−２０４３００号公報
【特許文献５】意匠登録第１２５６０２６号公報
【発明の開示】
【発明が解決しようとする課題】
【０００４】
しかしながら、特許文献１や２のものは、持ち手（握り部）が小さく、手からわに口までの距離が短いため、魚が大きいときや暴れ方が激しいとき、また大型のルアーを使用しているときは、魚やルアー針が手に接触する可能性があって危険である。
【０００５】
一方、特許文献３〜５のものは、わに口の開閉機構を装備した挟持部（３）に量りを内蔵した握り部（２）を備え、この握り部（２）を持ち手とする分、特許文献１や２のものよりも手からわに口までの距離が長くなるから安全性は増すが、挟持部（２）に量り機構を組み合わせたものであるため構造が複雑である。
【０００６】
なお、持ち手からわに口までの距離（リーチ）が長ければ、手が魚や釣り針に接触する危険性は減るが、逆に扱いにくくなる。このため、対象魚の種類や大きさ等、釣りの内容に応じてリーチの長さを変更できることが好ましい。しかし、特許文献１〜５のものは、こうした長さ調整機能がないため、特許文献１・２のものは小型〜中型用、特許文献３〜５のものは中型〜大型用として使い分ける必要がある。また、市場でも長さ調整機能を有する魚掴み具は存在せず、やはりロングサイズとショートサイズから釣りの内容に応じたものを選択していた。
【０００７】
他方、かかった魚の中には針を飲み込む等して口を閉じたものがあり、そのままでは魚掴み器を使えないため、口をこじ開けたりわに口を口にこじ入れる必要があるが、特許文献１〜５のものには、そうした機能もない。
【０００８】
本発明は上述した課題を解決するためになされたもので、その目的とするところは、釣りの内容に応じて適宜長さを調整することができる魚掴み器を提供することである。また、魚の口が閉じている場合にも対応する魚掴み器を提供することも本発明の目的の一つである。
【課題を解決するための手段】
【０００９】
上述した目的を達成するために本発明では、２枚のプレートをスペーサを介して対向したグリップと、前記２枚のプレート間に格納可能に前記グリップと一端部同士を回動可能に連結したツールバーと、このツールバーを前記グリップに格納した二つ折り状態と一線状に開いた開き状態それぞれで両者の回動を規制可能なロック機構と、前記ツールバーの開放端に突出して設けた常閉のわに口と、このわに口と前記ツールバー内部で連動させて前記わに口を開動操作可能なアクチュエータとを備え、このアクチュエータは前記二つ折り状態と開き状態それぞれに対応する二つの指掛け部を前記ツールバーの長手方向の側縁それぞれから反対向きに突出するという手段を用いた。当該手段によれば、開き状態では全長が長くなり、より安全に魚を掴むことができる。一方、二つ折り状態では全長が短くなり、扱いが容易になり、また携帯や保管に便利である。
【００１０】
また、アクチュエータは常閉のわに口を開くために直接指で操作する操作子であり、具体的な操作方法を特定するものではないが、好ましくは、指掛け部をツールバー長手方向に沿ってスライド可能に付勢してなり、わに口とは前記アクチュエータのスライド運動をわに口の開閉運動に変換可能なリンクによって連結する。スライド式のアクチュエータとすることで指掛け部をピストルのトリガ（引き金）のように操作しやすくなり、また長尺であるツールバーに対して充分なスライド距離を確保して、リンクによりスライド距離に見合ってわに口の開動角度を大きく確保できる。
【００１１】
また、わに口は、ツールバーの開放端に固定した固定爪と、前記開放端に回動可能に軸支した可動爪とからなり、この可動爪をアクチュエータとツールバー内部で連結する。この手段によれば、片方の爪のみを回動する構成であるから、２個の爪を回動するよりもわに口の開閉構造が簡単である。さらに、固定爪または可動爪の少なくとも何れか一方の先端外周にさらに先鋭テーパ状のへら部を突設することで、魚の口が閉じている場合にへら部により口をこじ開けることができる。
【００１２】
一方、ロック機構は、グリップの一方のプレート表面に回転可能に設けたツマミと、このツマミから前記一方のプレートを貫通してツールバー側に突設したロックピンと、ツールバーの一端縁に開き状態と二つ折り状態に対応する２箇所に形成した前記ロックピンの係合切欠とからなるため、片手でグリップを持ちながら、もう一方の手でツマミを操作してロック解除を容易に行うことができる。また、ツマミを他方のグリッププレートに付け替えることで右利き用・左利き用に変更することができる。
【００１３】
さらに、グリップとツールバーの開き角度は最大１８０度とすることができるが、ロック機構によりグリップに対してツールバーが傾斜するような開き状態を保持すれば、アクチュエータを操作しやすい。
【発明の効果】
【００１４】
本発明によれば、グリップを開いたり折り畳むことで全長を調節できるため、小型〜大型の魚など、あらゆる内容の釣りに対応して安全且つ容易に魚の口を掴むことができる。また、ツマミ式のロック機構によってグリップの開閉を切り替えるため、操作が容易で、しかもツマミを反対側のグリッププレートに付け替えれば、右利き用を左利き用に変更できるなど、実用性に優れている。さらに、ロック機構によりグリップに対してツールバーが傾斜するように最大開き角度を規制することで、アクチュエータを操作しやすい魚掴み器とすることができる。さらにまた、アクチュエータの指掛け部を開き状態と二つ折り状態に対応して２つ設けたので、それぞれの状態で確実にわに口を開閉操作できる。また、わに口の一方の爪にへら部を突設したので、魚の閉じた口をこじ開けながら、同時にこの爪を魚の口に入れることができ、より簡単且つ確実に魚の口を掴むことができる。
【発明を実施するための最良の形態】
【００１５】
以下、本発明の好ましい実施の形態を添付した図面に従って説明する。図１は本発明の第一の実施形態に係る魚掴み器を示したものであって、同図中、１はツールバー、２はツールバー１の一端に設けた常閉のわに口、３はわに口２を開動操作するトリガ（引き金）型のアクチュエータである。わに口２は魚の口（下顎）を挟み込む一対のフック状の爪２ａ・２ｂからなり、このうち一方の爪２ａは固定爪であり、他方の爪２ｂはツールバー１に内蔵したリンク機構を介してアクチュエータ３と接続した可動爪２ｂであって、当該リンク機構に装備した弾発スプリングの弾性力で付勢することで常態で可動爪２ｂを固定爪２ａに弾接させわに口２を閉じている。そして、アクチュエータ３を前記弾発スプリングの弾性力に抗してツールバー１の長手方向に沿って後端側（後述するグリップ側）にスライドさせることにより、前記リンク機構を介して可動爪２ｂを外側に回転させ、わに口２を開くように構成している。なお、わに口２は一方の爪を魚の口に入れ、その下顎を爪２ａ・２ｂによって口の内外から挟み込むものであり、何れの爪２ａ・２ｂを魚の口に入れるかは任意であるが、本実施形態では、固定爪２ａの先端外周に先鋭テーパ状のへら部２ａ’を突設しており、仮に魚の口が閉じている場合は、このへら部２ａ’を閉じた口にこじ入れ回すことで魚の口をこじ開けることができ、固定爪２ａを魚の口に入れることができる。
【００１６】
次に、符号４はツールバー１の他端に回動可能に設けた握り部として機能するグリップであり、側面に設けたツマミ式ロック機構５によって、図１に示したグリップ４からツールバー１を延長した開き状態（以下、ロングモードともいう）と、図２に示したツールバー１を折り畳んでグリップ１内に格納した二つ折り状態（以下、ショートモードともいう）とに切り替えるように構成している。なお、未使用時には図２の二つ折り状態とすることにより、携帯性に優れ、保管場所も取らない。
【００１７】
ここでアクチュエータ３は、ツールバー１に沿って指掛け位置が前後する２つの指掛け部３ａ・３ｂをツールバー１の長手方向の側縁それぞれから互いに反対向きに突出してなる。そして、図１の状態（ロングモード）ではグリップ寄りの指掛け部３ａに指を掛けてスライド操作、即ちわに口２の開動作を行う一方、図２の状態（ショートモード）ではわに口寄りの指掛け部３ｂに指を掛けてスライド操作を行うように構成している。従って、ロングとショートの各モードの何れであってもグリップ４を握ったままアクチュエータ３の操作を楽に行うことができる。
【００１８】
また、この実施形態では、グリップ４を折り畳んだときに、図２に示すようにロングモード用の指掛け部３ａのほぼ全部がグリップ４内に収容されるため、ショートモードのときにロングモード用の指掛け部３ａを誤操作する恐れがなく、また外観上も煩雑さがなく審美的な意匠を醸す。
【００１９】
図３は上記魚掴み器の分解斜視図であって、各部の詳細構造を明らかにしたものである。即ち、ツールバー１は同一形状の２枚のベースプレート１ａ・１ｂをＴ字状のスペーサ６および中空のスペーサシャフト７により所定間隔を保持してボルト止めしてなる。そして、プレート１ａ・１ｂ間を上記リンク機構の収容部としているのである。
【００２０】
ここでわに口２は、上述のように一方の爪２ａをベースプレート１ｂにボルト止めして固定爪とする一方、他方の爪２ｂはベースプレート１ａ・１ｂ間に架設されるスペーサパイプ９により回動可能に支持することで可動爪としている。
【００２１】
一方、アクチュエータ３はわに口側にスライドピン３ｃを設け、これをベースプレート１ａ・１ｂの内面に凹設したスライド溝１ｃに係合させることで直線的にスライド可能としている。また、このアクチュエータ３は、わに口寄りの指掛け部３ｂとＴ字状スペーサ６の凸部６ａをバネ受けとして、両者３ｂ・６ａ間に図示しない弾発スプリングを介装することによってわに口側に付勢される。
【００２２】
これに対して、リンクバー８は、可動爪２ｂとアクチュエータ３の二股状の割れ溝２ｃ・３ｄに挿入されるもので、その後端はアクチュエータ３のスライド長孔３ｅに挿通されるシャフト１０を回動軸として、ベースプレート１ａ・１ｂ間に回動可能に支承される。これと同時に、リンクバー８の前端には回動ピン８ａを設け、これをベースプレート１ａ・１ｂの内面に凹設した回動溝１ｄに係合させることで前記シャフト１０を支点として回動するものである。
【００２３】
そして、アクチュエータ３のスライドピン３ｃをリンクバー６に形成した傾斜長孔８ｂに摺動可能に挿通係合することで、アクチュエータ３のスライド運動をリンクバー６の回動運動に変換するように構成している。さらに、リンクバー６の回動ピン８ａを可動爪２ｂに形成した円弧長孔２ｄに摺動可能に挿通係合することで、リンクバー６の上記回動運動により可動爪２ｂを開閉可能に構成している。
【００２４】
続いて、グリップ４の構造およびロック構造を説明すると、このグリップ４は図３から明らかなように、２枚のグリッププレート４ａ・４ｂをスペーサ１２・１３を介して把持可能に対峙しボルト止めしてなるもので、両プレート４ａ・４ｂの一端でツールバー１の後端を挟み込み、前記スペーサシャフト７に挿通される中空シャフト１４を回動軸としてツールバー１と一端部同士を回動可能に連結したものである。また、一方のグリッププレート４ａには表面一部を突設して指掛けとしたツマミ５ａがブッシュ１５により回動可能に設けられている。さらに、このツマミ５ａは一方のグリッププレート４ａに形成された円弧状のガイド孔４ｃを貫通して突出するロックピン１６を備えている。そして、ベースプレート１ａ・１ｂの後端縁にはツールバー１を開いたときと閉じたときにロックピン１６が係合可能な切欠１ｅ・１ｆを形成すると共に、ツマミ５ａを図示しないスプリングによって前記ロックピン１６が切欠１ｅ・１ｆに係合する方向に付勢することでツマミ式ロック機構５を構成している。
【００２５】
図４は上述したリンク機構によるわに口２の開閉動作を示したものであり、常態では同図（ａ）に示したように、アクチュエータ３が弾発スプリングＳによってわに口側に付勢されており、スライドピン３ｃおよび回動ピン８ａを介して、可動爪２ｂも弾性的に閉状態を維持している。一方、アクチュエータ３を弾発スプリングＳの弾性力に抗して引き、所定距離スライドさせれば、同図（ｂ）に示したように、スライドピン３ｃもベースプレート１ａ・１ｂのスライド溝１ｃに沿って直線的にグリップ側に移動する。このときスライドピン３ｃはリンクバー８の傾斜長孔８ｂをも摺動するが、傾斜長孔８ｂはスライド溝１ｃに対して所定角度傾斜しているため、その傾斜角度に見合った角度だけリンクバー８が回動する。そして、リンクバー８と共に回転移動する回動ピン８ａが可動爪２ｂの円弧長孔２ｄを従動させて可動爪２ｂを開状態とするのである。従って、アクチュエータ３を引いている間はわに口２を開状態とすることができ、この状態で一方の爪を魚の口に挿入した後、アクチュエータ３から指を離せば、弾発スプリングＳによって自動的に元の閉状態となり、わに口２で魚の口を掴むことができる。
【００２６】
なお、図４ではツールバー１を開いた状態でのわに口２の開閉動作を図示したが、アクチュエータ３の指掛け部３ａ・３ｂは一体的に連動してスライドするから、何れの指掛け部３ａ・３ｂを操作してもリンク機構の動作は同じである。従って、ツールバー１を閉じた二つ折りの状態でも、指掛け部３ａを引くことによって同様の開閉動作が行われることはもちろんである。
【００２７】
図５は、グリップ４の折り畳み動作を示したもので、常態ではロックピン１６がベースプレート１ａ・１ｂに形成した一方の切欠１ｅに係合してロングモードの状態を保持している（図５（ａ）参照）。ここで、本実施形態ではグリップ４を最大に開いたとき、ツールバー１とグリップ４が１５０度の角度で切欠１ｅにロックピン１６が係合するようにしている。従って、グリップ４と指掛け部３ａの位置関係があたかもピストルのハンドルとトリガのようになり、アクチュエータ３の操作が容易である。また、グリップ４に対してツールバー１が下方に傾斜するので、魚の口の挟み込み作業も手が楽な姿勢で行うことができる。この状態から、スプリングに抗してツマミ５ａを回転させれば、前記係合が解除されグリップ４が回動自在となるから（図５（ｂ）参照）、グリップ４を折り畳んでロックピン１６を他方の切欠１ｆに係合させることで二つ折り状態のショートモードを保持することができる（図５（ｃ）参照）。ツマミ５ａはロックピン１６の係合解除、即ちロックを解除するときにだけ回転操作すればよく、その後、ツマミ５ａから指を離してもグリップ４を所定量回動させればスプリングの弾性力によってロックピン１６が自然に切欠１ｅ・１ｆに係合してロック状態となる。また、この折り畳み動作は可逆的に行え、ショートモードからロングモードに切り替えるときも同様の要領で行うことができることはもちろんである。
【００２８】
このように、本発明の魚掴み器は、ツールバー１とグリップ４とを二つ折り可能に枢支したことを特徴とするもので、対象魚の種類や大きさ等、釣りの内容に応じてロングモードとショートモードの２段階に切り替えることができる。
【００２９】
図６は、第二の実施形態を示したものであり、上記第一実施形態からの変更点は次の２点である。即ち、第一の変更点は、わに口２の固定爪２ａから先鋭テーパ状のへら部２ａ’を省略し、可動爪２ｂと全く同じフック状としたことをである。第二の変更点は、グリップ４のツマミ式ロック機構５を第一実施形態とは反対側のグリッププレート４ｂに設けたことである。従って、第一実施形態はグリップ４を右手で持ち、ツマミ５ａを左手で操作する右利き用であるのに対し、この第二実施形態ではグリップ４を左手で持ち、ツマミ５ａを右手で操作する左利き用として使用することができる。
【００３０】
図７は、第三の実施形態を示したものであり、第一・第二実施形態からわに口２を開動させるリンク機構を変更したものである。即ち、この第三実施形態では、第一・第二実施形態のスライド式のアクチュエータに代えて、ベースプレート１ａ・１ｂをボルト止めするボルトの一つを枢軸２０として回動するシーソ式のアクチュエータ２１を採用したものである。このアクチュエータ２１には回動ピン２２が形成され、前記枢軸２０を支点としてベースプレート１ａ・１ｂに形成した円弧状の回動溝２３を摺動し、図面上、反時計回りに回転する。なお、このアクチュエータ２１は図示しないバネやスプリング等の弾性体によって時計回りに付勢している。一方、わに口２の一方の爪３０は可動爪として上記ボルトの他の一つを枢軸３１として回動可能に支持され、一端に設けた従動ピン３２をベースプレート１ａ・１ｂに形成した円弧状の従動溝３３に摺動可能に係合している。そして、さらに他のボルトの一つを枢軸４０として回動可能に軸支したリンクバー４１によってアクチュエータ２１と可動爪３０を連結している。即ち、このリンクバー４１は両端に前記回動ピン２２および従動ピン３２を挿通係合する直線的な長孔４２・４３を形成しており、当該連結構造によってアクチュエータ２１の回転運動をそのまま可動爪３０の回転運動として伝達し、アクチュエータ２１を前記弾性体の弾性力に抗して指先で押圧することで可動爪３０を開動するものである。また、アクチュエータ２１から指を離せば、前記弾性体の弾性力によってリンクバー４１を介し可動爪３０を閉方向に回転させるため、常態ではわに口２は閉じている。
【００３１】
このように第三実施形態においても、アクチュエータ２１は指掛け位置がツールバー１に沿って前後方向に異なる２つの指掛け部２１ａ・２１ｂをツールバー１の両サイドから反対方向に突出しているため、グリップ４を開いた状態でも二つ折りした状態でも容易にアクチュエータ２１を操作することができる。
【図面の簡単な説明】
【００３２】
【図１】本発明の第一実施形態に係る魚掴み器の開き状態を示した斜視図（ロングモード）
【図２】同、二つ折り状態を示した斜視図（ショートモード）
【図３】同、分解斜視図
【図４】同、わに口の開閉動作を示す説明図
【図５】同、グリップの折り畳み動作を示す要部説明図
【図６】本発明の第二実施形態に係る魚掴み器の斜視図
【図７】本発明の第三実施形態に係る魚掴み器の平面図
【符号の説明】
【００３３】
１  ツールバー
２  わに口
２ａ  固定爪
２ｂ  可動爪
３  アクチュエータ
４  グリップ
５  ツマミ式ロック機構
５ａ  ツマミ
【図１】
2010004816.tif 000003
【図２】
2010004816.tif 000004
【図３】
2010004816.tif 000005
【図４】
2010004816.tif 000006
【図５】
2010004816.tif 000007
【図６】
2010004816.tif 000008
【図７】
2010004816.tif 000009